(57)【要約】【課題】車両側のアンテナがＦＭトランスミッターからのＦＭ電波を感度良く受信できるようにするためのものであり、聞きやすい音声をスピーカから出力させるＦＭ音声出力周波数自動調整装置を提供することを目的とする。【解決手段】ＦＭモジュレータ３が、音声信号と周波数を同期させてＦＭ変調波を作成し、ＦＭモジュレータ側通信部３２に出力するＦＭ変調波作成部３３と、ＦＭ変調波作成部３３に基準信号を出力する基準信号発生部３４と、ＦＭ変調波作成部３３にヘッドユニット２へ送信する周波数情報を出力する送信周波数設定部３５とを有し、ヘッドユニット２は、ＦＭモジュレータ３から受信したＦＭ変調波の受信強度を記憶し、受信したＦＭ変調波の中から最も受信強度が高いものを選択して、このＦＭ変調波の周波数情報をヘッドユニット側通信部２２に出力する受信強度比較・周波数選択部２３とを備える。【選択図】図３
2011211582.tif 000002
【特許請求の範囲】
【請求項１】
ＦＭ変調波を送信するＦＭモジュレータとこのＦＭモジュレータからのＦＭ変調波を受信するヘッドユニットとからなるＦＭ音声出力周波数自動調整装置において、
前記ＦＭモジュレータは、
前記ヘッドユニットへＦＭ変調波を送信し、前記ヘッドユニットからの最も受信強度の高い周波数情報を受信するＦＭモジュレータ側通信部と、
前記ＦＭモジュレータ側通信部に接続され、音声信号と周波数を同期させてＦＭ変調波を作成し、前記ＦＭモジュレータ側通信部に出力するＦＭ変調波作成部と、
前記ＦＭ変調波作成部に接続され、前記ＦＭ変調波作成部に基準信号を出力する基準信号発生部と、
前記ＦＭモジュレータ側通信部と前記ＦＭ変調波作成部に接続され、前記ＦＭ変調波作成部に前記ヘッドユニットへ送信する周波数情報を出力する送信周波数設定部とを有し、
前記ヘッドユニットは、
前記ＦＭモジュレータからのＦＭ変調波を受信し、前記ＦＭモジュレータへ最も受信強度の高い周波数情報を送信するヘッドユニット側通信部と、
前記ヘッドユニット側通信部に接続され、前記ＦＭモジュレータから受信したＦＭ変調波の受信強度を記憶し、受信したＦＭ変調波の中から最も受信強度が高いものを選択して、このＦＭ変調波の周波数情報を前記ヘッドユニット側通信部に出力する受信強度比較・周波数選択部とを備えるＦＭ音声出力周波数自動調整装置。
【発明の詳細な説明】
【技術分野】
【０００１】
本発明は、ＦＭトランスミッターを用いた音声出力装置、およびカーナビゲーション装置等のＦＭ放送受信装置を用いた音声転送システムにおいて、ＦＭ信号として出力する音声の出力周波数が、周囲の受信可能なＦＭ放送周波数と一致することにより混信することを自動的に防止するようにしたＦＭ音声出力周波数自動調整方法、及びその方法を実施する装置に関するものである。
【背景技術】
【０００２】
車両用オーディオ装置において、通常備えられているラジオにおけるＦＭラジオの機能を用い、車内に持ち込んだ携帯音楽プレーヤー等のオーディオ機器にＦＭトランスミッターを接続し、このＦＭラジオにおける受信可能範囲の周波数のうち特定の周波数を送信出力周波数に設定して、このＦＭトランスミッターに接続したオーディオ機器のオーディオ信号をこの周波数のＦＭ電波として出力し、これを予めその特定周波数に受信周波数を合わせているＦＭラジオで受信し、通常のＦＭ放送の受信と同様に信号処理し、スピーカから出力するものがある。
【０００３】
しかしながら、このようなＦＭトランスミッターで携帯音楽プレーヤの音声情報を転送する場合、有線を用いる場合と比較して音声の品質が低下する。これは、ＦＭ放送波とＦＭトランスミッターから出力されるＦＭ電波とが混信することが大きな要因である。
【０００４】
このＦＭトランスミッターから出力されるＦＭ電波とＦＭ放送波との混信を避けるために、例えば、特許文献１に記載されているＦＭ音声出力周波数自動調整方法が知られている。この発明では、ＦＭトランスミッター側にＦＭ放送波を受信するアンテナを設けており、チャンネル毎のＦＭ放送波の受信強度を検知することにより、ＦＭトランスミッターから出力されるＦＭ電波がＦＭ放送波と混信することを避けている。
【先行技術文献】
【特許文献】
【０００５】
【特許文献１】特開２００７−１７４４４５号公報
【発明の概要】
【発明が解決しようとする課題】
【０００６】
しかし、従来のＦＭ音声出力周波数自動調整方法では、前述のようにＦＭトランスミッター側にＦＭ放送波を受信するアンテナを設けてＦＭ放送波の受信強度を検知していたため、車載に搭載されているオーディオ用のアンテナが検知するＦＭ放送波の受信できる強度レベルが異なり、車載オーディオ側のアンテナでは受信できるがＦＭトランスミッター側のアンテナでは検知できない周波数領域のＦＭ電波をＦＭトランスミッター側から出力することになる。そのため、ＦＭトランスミッターから出力されるＦＭ電波は、車載オーディオ側アンテナで受信してしまうＦＭ放送波と混信してしまうという問題があった。
【０００７】
本発明は、この問題を解決するために考えたもので、車両側のアンテナがＦＭトランスミッターからのＦＭ電波を感度良く受信できるようにするためのものであり、聞きやすい音声をスピーカから出力させるＦＭ音声出力周波数自動調整装置を提供することを目的とする。
【課題を解決するための手段】
【０００８】
上記目的を達成するために、本発明は、ＦＭモジュレータが、ヘッドユニットへＦＭ変
調波を送信し、ヘッドユニットからの最も受信強度の高い良い周波数情報を受信するＦＭモジュレータ側通信部と、ＦＭモジュレータ側通信部に接続され、音声信号と周波数を同期させてＦＭ変調波を作成し、ＦＭモジュレータ側通信部に出力するＦＭ変調波作成部と、ＦＭ変調波作成部に接続され、ＦＭ変調波作成部に基準信号を出力する基準信号発生部と、ＦＭモジュレータ側通信部とＦＭ変調波作成部に接続され、ＦＭ変調波作成部にヘッドユニットへ送信する周波数情報を出力する送信周波数設定部とを有し、ヘッドユニットは、ＦＭモジュレータからのＦＭ変調波を受信し、ＦＭモジュレータへ最も受信強度の高い周波数情報を送信するヘッドユニット側通信部と、ヘッドユニット側通信部に接続され、ＦＭモジュレータから受信したＦＭ変調波の受信強度を記憶し、受信したＦＭ変調波の中から最も受信強度が高いものを選択して、このＦＭ変調波の周波数情報をヘッドユニット側通信部に出力する受信強度比較・周波数選択部とを備える。
【発明の効果】
【０００９】
本発明は、各種機器の音声信号の送受信を混信のない周波数に自動的に変更して送受信することができる。
【図面の簡単な説明】
【００１０】
【図１】本発明の一実施形態のＦＭ音声出力周波数自動調整装置におけるブロック図
【図２】本発明の一実施形態のヘッドユニットにおけるブロック図
【図３】本発明の一実施形態のＦＭモジュレータにおけるブロック図
【図４】本発明の一実施形態のＦＭ音声出力周波数自動調整装置における周波数設定方法を説明するためのフローチャート
【発明を実施するための形態】
【００１１】
以下、本発明の実施の形態であるＦＭ音声出力周波数自動調整装置１について、図面を用いて説明する。
【００１２】
本発明の実施の形態のＦＭ音声出力周波数自動調整装置１のブロック図を図１に示す。
【００１３】
ＦＭ音声出力周波数自動調整装置１は、車両に搭載されたヘッドユニット２と、ヘッドユニット２と通信を行うＦＭモジュレータ３と、ＦＭモジュレータ３に接続している音声再生装置４と、ヘッドユニット２に接続しているスピーカ５とで構成される。
【００１４】
ヘッドユニット２は、ＦＭモジュレータ３と情報を通信し、ＦＭモジュレータ３から受信したＦＭ変調波を音声信号に変換するものである。
【００１５】
ＦＭモジュレータ３は、音声再生装置４と接続され、音声再生装置４からの音声信号をＦＭ変調波に変調するものである。
【００１６】
音声信号装置４は、ＦＭモジュレータ３と接続され、ＦＭモジュレータ３に音声信号を出力するものである。
【００１７】
スピーカ５は、ヘッドユニット２と接続され、ヘッドユニット２からの音声信号を物理振動に変換して音楽や音声として出力するものである。
【００１８】
以下、本発明の実施の形態におけるＦＭ音声出力周波数自動調整装置１の要部であるヘッドユニット２について、図面を用いて説明する。
【００１９】
ＦＭ音声出力周波数自動調整装置１の要部であるヘッドユニット２のブロック図を図２に示す。
【００２０】
ヘッドユニット２は、ＦＭモジュレータ３と通信を行うヘッドユニット側アンテナ２１と、ヘッドユニット側アンテナ２に接続しているヘッドユニット側通信部２２と、ヘッドユニット側通信部２２と接続している受信強度比較・周波数選択部２３と、ヘッドユニット側通信部２２と接続している音声信号作成部２４とで構成される。
【００２１】
ヘッドユニット側通信部２２は、受信強度比較・周波数選択部２３と音声信号作成部２４とヘッドユニット側アンテナ２１とに接続されている。ヘッドユニット側通信部２２は、ヘッドユニット側アンテナ２１がＦＭモジュレータ３から受信したＦＭ変調波の信号を受信強度比較・周波数選択部２３に出力するものである。そして、ヘッドユニット側通信部２２は、受信強度比較・周波数選択部２３が選択した周波数情報を信号として受け取り、ヘッドユニット側アンテナ２１に出力して、ＦＭモジュレータ３に送信するものである。さらに、ヘッドユニット側通信部２２は、音声信号作成部２４にＦＭ変調波の信号を出力するものである。
【００２２】
受信強度比較・周波数設定部２３は、ヘッドユニット側通信部２２に接続され、ヘッドユニット側通信部２２から複数のＦＭ変調波の信号を受け取り、各々のＦＭ変調波の受信強度を記憶し比較する。そして、受信強度が一番高いＦＭ変調波の周波数を選択し、その周波数情報をヘッドユニット側通信部２１に出力する。
【００２３】
音声信号作成部２４は、スピーカ５に接続され、ヘッドユニット側通信部２２から出力されたＦＭ変調波の信号を音声信号に変換し、スピーカ５へ出力するものである。
【００２４】
以下、本発明の実施の形態におけるＦＭ音声出力周波数自動調整装置１の要部であるＦＭモジュレータ３について、図面を用いて説明する。
【００２５】
ＦＭ音声出力周波数自動調整装置１の要部であるＦＭモジュレータ３のブロック図を図３に示す。
【００２６】
ＦＭモジュレータ３は、ヘッドユニット２と通信を行うＦＭモジュレータ側アンテナ３１と、ＦＭモジュレータ側アンテナ３１と接続しているＦＭモジュレータ側通信部３２と、このＦＭモジュレータ側通信部３２と接続しているＦＭ変調波作成部３３とを有する。さらに、このＦＭ変調波作成部３３は、基準信号発生部３４と送信周波数設定部３５に接続され、この送信周波数設定部３５は、スタート指示部３６に接続している。
【００２７】
ＦＭモジュレータ側通信部３２は、ＦＭ変調波作成部３３と送信周波数設定部３５とＦＭモジュレータ側アンテナ３１とに接続され、ＦＭ変調波作成部３３からのＦＭ変調波の信号を受け取ってＦＭモジュレータアンテナ３１を介してヘッドユニット２へ送信し、送信周波数設定部３５にヘッドユニット２から受信した信号を出力するものである。
【００２８】
ＦＭ変調波作成部３３は、基準信号発生部３４と送信周波数設定部３５と音声再生装置４とに接続されている。このＦＭ変調波作成部３３は、音声再生装置４から入力された音声信号をＦＭ変調波の信号に変換するものである。また、このＦＭ変調波作成部３３は、基準信号発生部３４からの信号を入力する。さらに、送信周波数設定部３５からの信号を入力する。この基準信号発生部３４からの信号と送信周波数設定部３５からの信号と音声再生装置４からの信号をもとに、ＦＭ変調波の信号を作成する。そして、このＦＭ変調波の信号をＦＭモジュレータ側通信部３２に送信する。
【００２９】
基準信号発生部３４は、ＦＭ変調波作成部３３に接続され、ＦＭ変調波作成部３３に基準信号を出力する。基準信号は、Ｈｉ信号とＬｏ信号からなる。Ｈｉ信号は、音声信号に
１Ｖｐｐ、１ＫＨｚの電圧を出力させることを、ＦＭ変調波作成部３３に指示する信号である。このＨｉ信号によって、ＦＭ変調波作成部３３は送信周波数設定部３５から指示された周波数とに音声信号の位相を同期させ、周波数を変移させたＦＭ変調波の信号を作成する。一方、Ｌｏ信号は、送信周波数設定部３５から指示された周波数に音声信号を同期させずにＦＭ変調波の信号を作成することを、ＦＭ変調波作成部３３に指示するものである。
【００３０】
送信周波数設定部３５は、ＦＭモジュレータ側通信部３２とＦＭ変調波作成部３３とに接続され、ＦＭモジュレータ側通信部３２を介してヘッドユニット２から周波数変更指示の情報を受け取り、ＦＭ変調波作成部３３が作成するＦＭ変調波の周波数を設定し、ＦＭ変調波作成部３３へ設定した周波数情報を出力するものである。
【００３１】
スタート指示部３６は、送信周波数設定部３５と基準信号発生部３４とに接続され、ＦＭモジュレータ３を起動して、送信周波数設定部３５に送信周波数を設定するスタート指示の信号を出力するとともに、基準信号発生部３４に基準信号を出力させるものである。
【００３２】
以下、本発明の一実施形態のＦＭ音声出力周波数自動調整装置１の周波数設定方法について、図を用いて説明する。
【００３３】
図４は、本発明の一実施形態のＦＭ音声出力周波数自動調整装置１の周波数設定方法を説明する図である。
【００３４】
まず、ステップＳ１０１に示すように、操作者が起動ボタン等のスタート指示部３６からＦＭモジュレータ３を起動させるためのスタート指示を入力する。
【００３５】
次に、ステップＳ１０２に示すように、送信周波数設定部３５は記憶されている周波数帯のうち選択されていない送信周波数を設定する。送信周波数設定部３５には、５０ＭＨｚ〜２００ＭＨｚのＦＭ周波数帯が１６分割で１０ＭＨｚ毎に記憶されている。そして、記憶されている周波数帯のうち、まだ選択されていない最小の周波数を選択する。１６分割されているＦＭ周波数帯は、５０ＭＨｚ、６０ＭＨｚ、７０ＭＨｚ・・・２００ＭＨｚと１０ＭＨｚ毎に記憶されており、初めに選択される周波数は５０ＭＨｚとなり、次は６０ＭＨｚとなる。
【００３６】
そして、ステップＳ１０３に示すように、基準信号発生部３４がＨｉ信号を出力する。
【００３７】
ステップＳ１０４に示すように、ＦＭ変調波作成部３３がＨｉ信号に基づいて、音声信号に１Ｖｐｐ、１ＫＨｚの電圧を出力させ、送信周波数設定部３５から指示された周波数とに音声信号の位相を同期させ、周波数を変移させたＦＭ変調波の信号を作成する。そして、作成したＦＭ変調波をＦＭモジュール側アンテナ３１を介してヘッドユニット２に送信する。
【００３８】
ステップＳ１０５に示すように、ヘッドユニット２は、Ｈｉ信号に基づいて出力されたＦＭ変調波をヘッドユニット側アンテナ２１から受信する。
【００３９】
ステップＳ１０６に示すように、ＦＭ変調波の受信強度を受信強度比較・周波数選択部２３に記憶する。
【００４０】
さらに、ステップＳ１０７に示すように、基準信号発生部３４がＬｏ信号を出力する。これは、基準信号発生部３４からＨｉ信号が出力されてから一定時間経過した後に、出力される。
【００４１】
ステップＳ１０８に示すように、ＦＭ変調波作成部３３は送信周波数設定部３５から指示された周波数に音声信号を同期させずにＦＭ変調波の信号を作成し、ＦＭモジュール側アンテナ３１を介してヘッドユニット２に送信する。
【００４２】
ステップＳ１０９に示すように、ヘッドユニット２は、Ｈｉ信号に基づいて出力されたＦＭ変調波をヘッドユニット側アンテナ２１から受信する。
【００４３】
ステップＳ１１０に示すように、ＦＭ変調波の受信強度を受信強度比較・周波数選択部２３に記憶する。
【００４４】
ステップＳ１１１に示すように、送信周波数設定部３５は、記憶しているＦＭ周波数帯の中で選択されていない周波数帯があるかを判断する。ステップＳ１１１で「ＮＯ」の場合、すなわち、選択されていない周波数帯はなく、全てのＦＭ周波数帯が選択されている場合、ステップＳ１１２に進む。
【００４５】
ステップＳ１１２に示すように、受信強度比較・周波数選択部２３は、「Ｈｉ信号に基づくＦＭ変調波の受信強度」／「Ｌｏ信号に基づくＦＭ変調波の受信強度」の比率が最も高い周波数を選択する。これは、ヘッドユニット側アンテナ２１が、放送局からのＦＭ放送波と混信している周波数帯を受信している場合にＬｏ信号に基づくＦＭ変調波の受信強度レベルが上がり、ＦＭ放送波と混信していない周波数帯である場合は、Ｌｏ信号に基づくＦＭ変調波の受信強度は低くなる。一方、Ｈｉ信号に基づくＦＭ変調波の受信強度が高い場合は、その周波数帯がＦＭモジュレータ３からヘッドユニット２への受信感度が良いことを示す。これは、ＦＭモジュレータ３からヘッドユニット２にＦＭ変調波を送信する場合、双方の位置関係によって受信感度の良い周波数帯が変化するため、その状況に適した周波数帯を設定することができる。このため、「Ｈｉ信号に基づくＦＭ変調波の受信強度」／「Ｌｏ信号に基づくＦＭ変調波の受信強度」の比率が最も高い周波数が最も感度が良いと判断できる。
【００４６】
そして、ステップＳ１１３に示すように、受信強度比較・周波数選択部２３は、選択した周波数情報をアンテナ２１を介してＦＭモジュレータ３に送信する。
【００４７】
ステップＳ１１４に示すように、送受信周波数設定部３５は、最も感度が良いと判断された送信周波数を設定し、ＦＭ変調波作成部３３に設定した周波数情報を出力する。
【００４８】
ステップＳ１１５に示すように、ＦＭ変調波作成部３３に設定された周波数に音声信号を同期させたＦＭ変調波を作成し、ＦＭモジュール側アンテナ３１を介してヘッドユニット２に送信する。
【００４９】
ステップＳ１１６に示すように、音声信号作成部２４は、ヘッドユニット２が受信したＦＭ変調波から音声信号を作成してスピーカ５へ出力する。
【００５０】
ステップＳ１１１に戻り、「ＹＥＳ」の場合、すなわち、送信周波数設定部３５が記憶しているＦＭ周波数帯の中で選択されていない周波数帯がある場合は、ステップＳ１０２に戻り、送信周波数設定部３５が記憶されている周波数帯のうち選択されていない送信周波数を設定し、全ての周波数帯を選択するまで、ステップＳ１０２〜Ｓ１１１の処理を繰り返す。
【００５１】
この構成により、最も感度の良い周波数で音声再生装置の音声をＦＭモジュレータ３を通じてヘッドユニット２に送信でき、聞きやすい音声をスピーカ５から出力することがで
きる。
【産業上の利用可能性】
【００５２】
以上のように、本発明にかかるＦＭ音声出力周波数自動調整装置は、ＦＭトランスミッターとして有用である。
【符号の説明】
【００５３】
１      ＦＭ音声出力周波数自動調整装置
２      ヘッドユニット
２１    ヘッドユニット側アンテナ
２２    ヘッドユニット側通信部
２３    受信強度比較・周波数選択部
３      ＦＭモジュレータ
３１    ＦＭモジュレータ側アンテナ
３２    ＦＭモジュレータ側通信部
３３    ＦＭ変調波作成部
３４    基準信号発生部
３５    送信周波数設定部
３６    スタート指示部
４      音声再生装置
５      スピーカ
【図１】
2011211582.tif 000003
【図２】
2011211582.tif 000004
【図３】
2011211582.tif 000005
【図４】
2011211582.tif 000006